【手続補正書】
【提出日】平成23年7月5日(2011.7.5)
【手続補正１】
【補正対象書類名】特許請求の範囲
【補正対象項目名】全文
【補正方法】変更
【補正の内容】
【特許請求の範囲】
【請求項１】
無線ネットワークデバイスであって、
それぞれ、Ｒ個の独立したデータストリームを受信し、前記Ｒ個の独立したデータストリームを変調し、多重化マトリックスを適用してＭ個の変調かつ多重化されたデータストリームを生成するＲ個の変調モジュールであって、ＲおよびＭは１より大きい整数である、Ｒ個の変調モジュールと、
Ｍ個の伝送データストリームを生成するように、前記Ｍ個の変調かつ多重化されたデータストリームの各々の部分を加算するための、Ｍ個の加算モジュールと、
同時ダウンリンク伝送期間（ＳＤＴ期間）中、前記Ｍ個の伝送データストリームを同時に伝送する、Ｍ個の伝送器と、を備える、無線ネットワークデバイス。
【請求項２】
前記無線ネットワークデバイスは、前記Ｍ個の伝送データストリームをＲ個のクライアント局へ同時に伝送する、請求項１に記載の無線ネットワークデバイス。
【請求項３】
前記無線ネットワークデバイスは、前記Ｍ個の伝送データストリームのうちの第１の伝送データストリームを、少なくとも２つのクライアント局に伝送し、前記Ｍ個の伝送データストリームのうちの第２の伝送データストリームを、少なくとも１つのクライアント局に伝送する、請求項２に記載の無線ネットワークデバイス。
【請求項４】
前記ＳＤＴ期間のＲ個の割り当てられた時間スロット中に、前記Ｒ個のクライアント局から、Ｒ個の確認応答（ＡＣＫ）をそれぞれ受信するＭ個の受信器をさらに備える、請求項２または請求項３に記載の無線ネットワークデバイス。
【請求項５】
前記Ｒ個の変調モジュールの各々は、
前記Ｒ個の独立したデータストリームのうちの１つの空間マッピングを実施し、Ｍ個の空間データストリームを生成する、空間マッピングモジュールと、
前記Ｍ個の空間データストリームのそれぞれを受信し、Ｍ組のトーンを出力する、Ｍ個の変調マッピングモジュールと、
前記多重化マトリックスを前記Ｍ組のトーンに適用する多重化マトリックスモジュールと、
前記多重化マトリックスモジュールの出力と通信する逆高速フーリエ変換モジュールと、を備える、請求項１から請求項４のいずれか１つに記載の無線ネットワークデバイス。
【請求項６】
前記Ｍ個の変調マッピングモジュールの各々は、直交振幅変調（ＱＡＭ）モジュールを備える、請求項５に記載の無線ネットワークデバイス。
【請求項７】
前記無線ネットワークデバイスと前記Ｒ個のクライアント局の各々との間のチャネル状況に基づいて、それぞれの多重化マトリックスを生成する多重化マトリックスモジュールをさらに備える、請求項２に記載の無線ネットワークデバイス。
【請求項８】
前記多重化マトリックスモジュールは、前記Ｒ個のクライアント局のうちの１つに対する多重化マトリックスを、前記Ｒ個のクライアント局の残りに対して伝送される信号の信号エネルギーを最小にすることによって決定する、請求項７に記載の無線ネットワークデバイス。
【請求項９】
前記多重化マトリックスモジュールは、前記Ｒ個のクライアント局のうちの１つに対する多重化マトリックスを、前記Ｒ個のクライアント局に対する最小の信号対干渉および雑音比を最大限にすることによって決定する、請求項７または請求項８に記載の無線ネットワークデバイス。
【請求項１０】
前記多重化マトリックスモジュールは、前記Ｒ個のクライアント局の信号対干渉および雑音比に基づいて前記多重化マトリックスを決定する、請求項７から請求項９のいずれか１つに記載の無線ネットワークデバイス。
【請求項１１】
前記多重化マトリックスは、前記Ｍ個の伝送データストリームのトーンに対する振幅と位相のうちの少なくとも１つを調整する、請求項１から請求項１０のいずれか１つに記載の無線ネットワークデバイス。
【請求項１２】
前記無線ネットワークデバイスにより伝送される伝送信号ベクトルｓは、以下の式に基づき、
【数１１】
2010534044.tif 000001
式中、ｘｉはｉ番目のクライアント局を意図する情報ベクトル、Ｗｉはｉ番目のクライアント局のための多重化マトリックス、Ｎはクライアント局の個数である、請求項１から請求項１１のいずれか１つに記載の無線ネットワークデバイス。
【請求項１３】
前記Ｒ個のクライアント局からチャネル状態情報（ＣＳＩ）を受信する受信器をさらに備える、請求項７から請求項１２のいずれか１つに記載の無線ネットワークデバイス。
【請求項１４】
受信器と、
前記Ｒ個のクライアント局から受信される信号に基づいてチャネル状態情報を推定するチャネル状況推定装置と、をさらに備える、請求項７から請求項１２のいずれか１つに記載の無線ネットワークデバイス。
【請求項１５】
前記Ｒ個の独立したデータストリームは、サブフレーム、フレーム、またはパケットとして配置される、請求項１から請求項１４のいずれか１つに記載の無線ネットワークデバイス。
【手続補正２】
【補正対象書類名】明細書
【補正対象項目名】００９３
【補正方法】変更
【補正の内容】
【００９３】
当業者は、前述の説明から、本開示の広範囲な教示が種々の形式で実現されることが可能であることを理解することができる。したがって、本開示は特定の実施例を含むが、他の変形例が図面、明細書、および以下の請求項により明白となるため、本開示の真の範囲は限定されるべきでない。
［項目１］
Ｒ個の独立したデータストリームを受信するステップと、
前記Ｒ個の独立したデータストリームを変調するステップと、
Ｍ個の変調かつ多重化されたデータストリームをそれぞれ生成するように多重化マトリックスを適用するステップであって、ＲおよびＭは１より大きい整数である、ステップと、
Ｍ個の伝送データストリームを生成するように、前記Ｍ個の変調かつ多重化されたデータストリームの各々の部分を加算するステップと、
同時ダウンリンク伝送期間（ＳＤＴ期間）中、前記Ｍ個の伝送データストリームを同時に伝送するステップと、を含む。
［項目２］
前記Ｍ個のデータストリームをＲ個のクライアント局へ同時に伝送するステップをさらに含む。
［項目３］
前記Ｍ個の伝送データストリームのうちの第１の伝送データストリームを、少なくとも２つのクライアント局に伝送し、前記Ｍ個の伝送データストリームのうちの第２の伝送データストリームを、少なくとも１つのクライアント局に伝送するステップをさらに含む。
［項目４］
前記ＳＤＴ期間のＲ個の割り当てられた時間スロット中に、前記Ｒ個のクライアント局から、Ｒ個の確認応答（ＡＣＫ）を受信するステップをさらに含む。
［項目５］
前記Ｒ個の独立したデータストリームのうちの１つの空間マッピングを実施してＭ個の空間データストリームを生成するステップと、
前記Ｍ個の空間データストリームのうちのそれぞれを受信してＭ組のトーンを出力するステップと、
前記多重化マトリックスを前記Ｍ組のトーンに適用するステップと、
逆高速フーリエ変換を実施するステップと、を含む。
［項目６］
前記Ｍ個の変調マッピングモジュールの各々は、直交振幅変調（ＱＡＭ）モジュールを含む。
［項目７］
無線ネットワークデバイスと前記Ｒ個のクライアント局の各々との間のチャネル状況に基づいてそれぞれの多重化マトリックスを生成するステップをさらに含む。
［項目８］
前記Ｒ個のクライアント局のうちの１つに対する多重化マトリックスを、前記Ｒ個のクライアント局のうちの残りのクライアント局に対して伝送される信号の信号エネルギーを最小にすることによって決定するステップをさらに含む。
［項目９］
前記Ｒ個のクライアント局のうちの１つに対する多重化マトリックスを、前記Ｒ個のクライアント局に対する最小の信号対干渉および騒音比を最大にすることによって決定するステップをさらに含む。
［項目１０］
前記Ｒ個のクライアント局の信号対干渉および騒音比（ＳＩＨＮＲ）に基づいて前記多重化マトリックスを決定するステップをさらに含む。
［項目１１］
前記Ｍ個の伝送データストリームのトーンに対する振幅と位相のうちの少なくとも１つを調整するステップをさらに含む。
［項目１２］
以下の式に基づいて伝送信号ベクトルｓを伝送するステップをさらに含み、
【数１２】
2010534044.tif 000002
式中、ｘｉはｉ番目のクライアント局を意図とする情報ベクトル、Ｗｉはｉ番目のクライアント局のための多重化マトリックス、Ｎはクライアント局の個数である。
［項目１３］
前記Ｒ個のクライアント局からチャネル状態情報（ＣＳＩ）を受信するステップをさらに含む。
［項目１４］
前記Ｒ個のクライアント局から受信される信号に基づいてチャネル状態情報を推定するステップをさらに含む。
［項目１５］
前記Ｒ個の独立したデータストリームは、サブフレーム、フレーム、またはパケットとして配置される。